(57)【特許請求の範囲】
【請求項１】
一定幅の桟を格子状又はハニカム状に組みつけて周りを枠で囲んだ形態をなす壁面材を盛土の法面に取付ける取付方法であって、壁面材が成形品で、桟が格子状又はハニカム状に組みつけられることによって画成される四角形又は六角形の各目孔は前記桟が抜き勾配を有することによって一側より他側に向かって拡開してなり、前記壁面材を目孔の拡開する側が表側となるように盛土の法面に当てがう工程と、壁面材の所要の目孔に目孔の拡開する側から連結金具付きの装填ピースを連結金具から挿入して押込む工程と、壁面材から突出する連結金具と、一定量盛土するごとに盛土上に配置されるストリップとを止着手段によって連結する工程とからなることを特徴とする壁面材の取付方法。
【請求項２】
Ｈ形鋼よりなる支杆を縦向きに、かつ溝が互いに向き合って横向きとなるように盛土の法面に沿わせて定間隔で並設する工程と、隣接する支杆の対向する溝に壁面材を上方から両側の支杆の溝に嵌合させて装着する工程を更に設けることを特徴とする請求項１記載の
壁面材の取付方法。
【発明の詳細な説明】
【技術分野】
【０００１】
本発明は、テールアルメ工法によって構築された盛土の法面に取付けられ、緑化が可能な壁面材の取付方法に関する。
【背景技術】
【０００２】
テールアルメ工法による盛土構造は、盛土の層間に鋼製の帯材よりなるストリップを配置し、法面に沿わせた壁面材とストリップを連結してなるもので、土とストリップとの間に発生する摩擦で土の変形を拘束して盛土を安定化させるようになっており、壁面材には主としてプレキャストコンクリート版が用いられてきたが、従来の壁面材では緑化することができなかった。
【０００３】
緑化を可能とした壁面材も提案され、その一つに構築された盛土の法面に取付けられるプレキャスト版よりなる壁面材に植栽孔を設け、該植栽孔の背面（裏）側にネットを取付けて土砂が植栽孔に流入しないようにし、表側よりサツキ、蔦等の根鉢を植栽孔に押し込んで背面土にネットを介して密着させ、背面土の養水分を根鉢に浸透させて植物を育成し、育成した植物の根をネットを通して背面土に伸長させるようになっており、表側には根鉢を固定するための止め具が設けられたものが提案されている（特許文献１）。
【０００４】
緑化が可能な壁面材としてはこのほか、鉄筋を格子状に組付けたメッシュパネルも知られる。このメッシュパネルは垂直壁には不適であるが、植生ネットを併用することにより傾斜した法面の緑化を行うことが可能である。
【特許文献１】特開２００７−８９５９４号公報
【発明の開示】
【発明が解決しようとする課題】
【０００５】
特許文献１に開示される壁面材の施工は、法面に沿わせた壁面材をストリップに連結して取付けたのち、根鉢を取付けることによって行われるが、その際、根鉢の植栽孔への押込み、止め具による根鉢の固定等の作業が必要であり、止め具を設けることにより壁面材の構造も複雑となる。これに対し、メッシュパネルは構造が簡単で、緑化のための作業が必要でなく、また剛性が低く変形し易いために屈曲した法面に対しても変形させることで容易に対応させることができる利点があるが、反面、運搬時や取扱い時に不必要な変形をしがちで、取扱い難いこと、強度が低いこと、施工時にメッシュパネル同士を縦横に連結する際には、メッシュパネル同士を一部重ねて、重ね合わせ部を番線を用いて結束するが、その作業には多大な手間がかかること等の問題がある。
【０００６】
本発明は、テールアルメ工法によって構築された盛土の法面に取付けられ、緑化が可能で、施工が容易な壁面材の取付方法を提供することを目的とする。
【課題を解決するための手段】
【０００７】
請求項１に係る発明の壁面材は、一定幅の桟を格子状又はハニカム状に組みつけて周りを枠で囲んだ形態をなす壁面材の取付方法に関するもので、壁面材は例えば繊維強化プラスチックＦＲＰ製の成形品で、桟が格子状又はハニカム状に組みつけられることによって画成される四角形又は六角形の各目孔は前記桟が抜き勾配を有することによって一側より他側に向かって拡開してなり、前記壁面材を目孔の拡開する側が表側となるように盛土の法面に当てがう工程と、壁面材の所要の目孔に目孔の拡開する側から連結金具付きの装填ピースを連結金具から挿入して押込む工程と、壁面材から突出する連結金具と、一定量盛土するごとに盛土上に配置されるストリップとを止着手段によって連結する工程とからなることを特徴とする。
【０００８】
請求項２に係る発明は、請求項１に係る発明において、Ｈ形鋼よりなる支杆を縦向きに、かつ溝が互いに向き合って横向きとなるように盛土の法面に沿わせて定間隔で並設する工程と、隣接する支杆の対向する溝に壁面材を上方から両側の支杆の溝に嵌合させて装着する工程を更に設けることを特徴とし、好ましい発明では、壁面材を装着するごとに、その上にＨ形鋼よりなる横杆が横向きに、溝を上下に向けて装着され、上下の各溝に壁面材の上側縁及び下側縁が嵌着される。
【発明の効果】
【０００９】
請求項１に係る発明によると、壁面材の表側から植物の種子を吹付け、或いは壁面材と盛土の法面との間に植物の種子を取付けた植生マットを介して取付けることにより壁面材を通した緑化が可能であること、緑化のために特別な施工を必要とせず、壁面材は従来の施工法で取付けるだけでよいこと、壁面材は盛土の法面に縦横に配置されて連結されるが、連結は壁面材の枠同士を溶接したり、ボルト等の止具で止着することにより、或いはまた枠同士を針金等で数か所縛り付けるだけで容易に行えること、壁面材は周りが枠で囲まれ、桟が突出していないため作業中桟に引っ掛かることがないため、安全で作業性もよいこと壁面材を一体成形により簡易に生産できること、一体成形された壁面材は四角形又は六角形をなす各目孔を形成する桟が抜き勾配を有するが、この抜き勾配を利用して装填ピースを嵌め込み、その連結金具と盛土の層間に介装されるストリップを連結するだけで壁面材の固定を容易に行うことができること、少なくとも表側を着色した装填ピースを所要の目に装着することで、意匠効果をもたらすことができること等の効果を奏する。
【００１０】
【００１１】
請求項２に係る発明によると、壁面材を対向する支杆の溝に嵌合して装着することで壁面材を容易かつ確実に取付けることができる
【発明を実施するための最良の形態】
【００１２】
図１は、本発明方法で用いる壁面材について示すもので、この壁面材は一定幅の桟１を縦及び横方向に一定間隔で格子状に組付けて周りを同じ桟１で形成される枠２で囲んだ矩形の形態をなすＦＲＰ製の成形品よりなっている。図２は、盛土５の層間に配置される鋼製のストリップ６と盛土５の法面に取付けた壁面材３を連結金具７で連結した構造を示すもので、盛土５の法面には図示していないが、壁面材３との間に植物の種子を包み込んだ植生マットが取付けられている。
【００１３】
図３は、同一平面内で縦横に連設した壁面材３の背面（裏）側に盛土５の層間に配置されるストリップ６が連結されている。
【００１４】
前記壁面材３によると、壁面材３が格子状をなしていることにより植生マットから生育した植物が壁面材３を通して繁茂し、緑化ができること、緑化のために従来工法で用いられる、壁面材を格子状の壁面材とし、新たに植生マットを取付けるだけでよく、従来工法と実質的に変わりなく緑化できること、壁面材３は周りが枠２で囲まれているために、枠２で囲われず、桟端が露出している場合、桟端に引っ掛かって作業に支障を来たしたり、安全性を損なうといった問題を生ずることがないこと、隣接する壁面材３の連結は、枠同士をボルトを通し、ナットで締付けることで容易に行えること、壁面材３はＦＲＰ製の成形品よりなるため、軽量で作業性、耐久性、耐候性、耐食性、更には生産性に優れ、着色した樹脂を用いることにより壁面材を着色させることができ、塗装も可能であること、等の効果を有する。
【００１５】
上記壁面材３はＦＲＰ製となっているが、他の樹脂製であってもよいし、鋼、その他の金属製であってもよい。鋼製とする場合には、好ましくは亜鉛メッキされる。
【００１６】
前述の例では、法面に植生マットを取付けているが、植生マットは必須の要件ではなく、植生マットを省き、壁面材３の表面側から植物の種子を吹付けてもよい。
【００１７】
図４及び図６〜図１０は、連結金具７ａ〜７ｅと壁面材３の種々の連結態様を示すもので、壁面材３の桟１を格子状に組付けることによって画成される四角形の各目孔９は桟１が抜き勾配を有することにより表側が拡開するように形成されている。図４に示す壁面材３では、ストリップ６と連結するために所要の目孔９に、該目孔９と同じ断面形状をなすＦＲＰ製の装填ピース１１が表側から装填ピース１１にインサートされる連結金具７ａを先頭にして押込まれ、連結金具７ａとストリップ６とがボルト１２とナット１３よりなる止着手段によって連結されるようになっており、ストリップ６に矢印方向の張力がかかることで目孔９に嵌着される装填ピース１１が楔効果でしっかりと固定されるようになっている。
【００１８】
図５は、装填ピース１１を装着した壁面材３の要部を表側から見た図で、目孔９に装填ピース１１が嵌着され、装填ピース１１に着色した装填ピースを用いることで、壁面材３の意匠効果を上げることができるようになっている。
【００１９】
図６に示す装填ピース１５は表側に一体形成されるフランジ１５ａを壁面材３に当てることで、より確実に抜け止めが行えるようになっている。
【００２０】
図７〜図９は、装填ピース１７にインサートされる連結金具７ｂ〜７ｄの種々の形態を示すもので、図７は、連結金具７ｂのインサート部分が二又に分岐されたもの、図８は連結金具７ｃのインサート部分を鉤状に形成したもの、図９は連結金具７ｄのインサート部分の先端に装填ピース１８に被さるプレート２０を固着したものである。また図１０は連結金具７ｅをＬ形に形成して屈曲部と装填ピース１９にボルト２１を通し、ナット２２で締め込んで連結したもので、いずれのものにおいても連結金具７ｂ〜７ｅは装填ピース１７、１８、１９から抜け止めされるか、一体に連結されるようになっている。
【００２１】
図１１は、Ｈ型鋼よりなる支杆２５を縦向き、かつ溝２６が互いに向き合って横向きとなり、盛土の法面に沿うようにして一定間隔で並設し、支杆２５間に図１に示す壁面材３を上方から両側の支杆２５の対向する溝２６に嵌合させて装着し、その上に同じＨ形鋼よりなる横杆２７を溝２８に壁面材３の上端を嵌合させて装着したもので、ストリップ６が支杆２５に溶接その他任意の取付け手段によって連結されている。この横杆２７は上下の壁面材３の隙間を塞ぐが、省いてもよい。
【００２２】
図示する例では、ストリップ６は支杆２５に連結されているが、横杆２７に連結してもよいし、壁面材３に連結してもよく、また多数のストリップ６のうち、一部のストリップ６を支杆２５に、別のストリップ６を横杆２７に、他のストリップ６を壁面材３に連結するようにしてもよい。
【００２３】
本実施形態によると、壁面材３を支杆間に嵌め込むことにより壁面材３を容易かつ確実に固定することができる。
【００２４】
前記実施形態で用いる壁面材３は、桟１を縦横に配置した格子状をなしているが、ハニカム状に形成したものであってもよい。図４及び５に示される壁面材では、横方向に配設される桟１はほぼ水平となっているが、図１２に示すように横方向の桟３１を若干傾斜させてもよい。この場合、装填ピースとしては図示するように、桟３１によって形成される目孔３２と同一断面をなす断面菱形の装填ピース３３が用いられる。図中、３４は連結金具である。桟３１が図示するように表側に向かって上向きに傾斜することにより背面側の土砂等の流出防止を図ることができる。横方向に配設される桟はまた、図１３に示すようにＬ字状の断面をなす桟３６として形成し、これにより背面側の土砂等流失防止を図ることもできる。図中、３７は図６に示すフランジ１５ａを形成した装填ピース１５と同様の断面構造をなす装填ピースであり、３８は連結金具である。
【図面の簡単な説明】
【００２５】
【図１】本発明に係る壁面材の斜視図。
【図２】盛土構造の断面図。
【図３】盛土の法面に取付けられる壁面材にストリップを取付けた斜視図。
【図４】壁面材と連結金具の連結態様を示す断面図。
【図５】装填ピースを装着した壁面材の要部の平面図。
【図６】壁面材と連結金具の別の連結態様を示す断面図。
【図７】装填ピースの別の態様を示す断面図。
【図８】装填ピースの更に別の態様を示す断面図。
【図９】装填ピースの更に別の態様を示す断面図。
【図１０】装填ピースの他の態様を示す断面図。
【図１１】壁面材の別の取付態様を示す斜視図。
【図１２】壁面材の別の構造態様を示す一部の断面図。
【図１３】壁面材の別の構造態様を示す一部の断面図。
【符号の説明】
【００２６】
１、３１、３６・・桟
２・・枠
３・・壁面材
５・・盛土
６・・ストリップ
７、７ａ、７ｂ、７ｃ、７ｄ、７ｅ、３４、３８・・連結金具
９、３２・・目孔
１１、１５、１７、１８、１９、３３、３７・・装填ピース
１２、２１・・ボルト
１３、２２・・ナット
２５・・支杆
２６、２８・・溝
２７・・横杆
【図１】
0005038075.tif 000002
【図２】
0005038075.tif 000003
【図３】
0005038075.tif 000004
【図４】
0005038075.tif 000005
【図５】
0005038075.tif 000006
【図６】
0005038075.tif 000007
【図７】
0005038075.tif 000008
【図８】
0005038075.tif 000009
【図９】
0005038075.tif 000010
【図１０】
0005038075.tif 000011
【図１１】
0005038075.tif 000012
【図１２】
0005038075.tif 000013
【図１３】
0005038075.tif 000014